(57)【要約】【課題】本発明は、被写体の高さ、または、指定した二点間の長さを測定する測定機能付き電子カメラを提供することを目的とする。【解決手段】撮像光学系を介して結像された被写体像を撮像し、画像信号を出力する撮像手段と、前記撮像手段から出力された前記画像信号を表示する表示手段と、前記表示手段に表示された前記画像信号に基づいて、長さ測定の対象となる測定点の指定を受け付ける受付手段と、前記受付手段によって前記測定点が指定された際の所定の水平面に対するアオリ方向角度を測定する角度測定手段と、前記測定点までの距離を測定する距離測定手段と、前記角度測定手段によって測定された前記アオリ方向角度、および、前記距離測定手段によって測定された前記距離に基づいて、前記測定点から前記所定の水平面に下ろした垂線の足と前記測定点との間の長さに関する値を計算する計算手段とを備えて電子カメラを構成する。【選択図】図５
2010124262.tif 000002
【特許請求の範囲】
【請求項１】
撮像光学系を介して結像された被写体像を撮像し、画像信号を出力する撮像手段と、
前記撮像手段から出力された前記画像信号を表示する表示手段と、
前記表示手段に表示された前記画像信号に基づいて、長さ測定の対象となる測定点の指定を受け付ける受付手段と、
前記受付手段によって前記測定点が指定された際の所定の水平面に対するアオリ方向角度を測定する角度測定手段と、
前記測定点までの距離を測定する距離測定手段と、
前記角度測定手段によって測定された前記アオリ方向角度、および、前記距離測定手段によって測定された前記距離に基づいて、前記測定点から前記所定の水平面に下ろした垂線の足と前記測定点との間の長さに関する値を計算する計算手段とを有することを特徴とする電子カメラ。
【請求項２】
撮像光学系を介して結像された被写体像を撮像し、画像信号を出力する撮像手段と、
前記撮像手段から出力された前記画像信号を表示する表示手段と、
前記表示手段に表示された前記画像信号に基づいて、長さ測定の対象となる第１の測定点、および、第２の測定点の指定を受け付ける受付手段と、
前記受付手段によって前記第１の測定点が指定された際の所定の水平面に対するアオリ方向角度である第１角度と、前記第２の測定点が指定された際の前記所定の水平面に対するアオリ方向角度である第２角度のうち少なくとも一方を測定する角度測定手段と、
前記第１の測定点までの第１距離、および、前記第２の測定点までの第２距離を測定する距離測定手段と、
前記角度測定手段によって測定された前記第１角度または前記第２角度のうち少なくとも一方、および、前記距離測定手段によって測定された前記第１距離および前記第２距離に基づいて、前記第１の測定点と前記第２の測定点との間の長さに関する値を計算する計算手段とを有することを特徴とする電子カメラ。
【請求項３】
撮像光学系を介して結像された被写体像を撮像し、画像信号を出力する撮像手段と、
前記撮像手段から出力された前記画像信号を表示する表示手段と、
前記表示手段に表示された前記画像信号に基づいて、長さ測定の対象となる第１の測定点、および、第２の測定点の指定を受け付ける受付手段と、
前記受付手段によって前記第１の測定点が指定された際の所定の水平面に対するアオリ方向角度である第１角度、および、前記第２の測定点が指定された際の前記所定の水平面に対するアオリ方向角度である第２角度を測定する角度測定手段と、
前記第１の測定点までの第１距離と、前記第２の測定点までの第２距離のうち少なくとも一方を測定する距離測定手段と、
前記角度測定手段によって測定された前記第１角度および前記第２角度、および、前記距離測定手段によって測定された前記第１距離または前記第２距離のうち少なくとも一方に基づいて、前記第１の測定点と前記第２の測定点との間の長さに関する値を計算する計算手段とを有することを特徴とする電子カメラ。
【請求項４】
撮像光学系を介して結像された被写体像を撮像し、画像信号を出力する撮像手段と、
前記撮像手段から出力された前記画像信号を表示する表示手段と、
前記表示手段に表示された前記画像信号に基づいて、長さ測定の対象となる第１の測定点、および、第２の測定点の指定を受け付ける受付手段と、
前記受付手段によって前記第１の測定点が指定された際の所定の水平面に対するアオリ方向角度である第１角度、および、前記第２の測定点が指定された際の前記所定の水平面に対するアオリ方向角度である第２角度を測定する角度測定手段と、
前記第１の測定点と前記第２の測定点とを結ぶ直線の延長上に位置し、アオリ方向の角度がほぼ水平である第３の測定点までの距離を測定する距離測定手段と、
前記角度測定手段によって測定された前記第１角度および前記第２角度、および、前記距離測定手段によって測定された前記第３の測定点までの距離に基づいて、前記第１の測定点と前記第２の測定点との間の長さに関する値を計算する計算手段とを有することを特徴とする電子カメラ。
【請求項５】
請求項１に記載の電子カメラにおいて、
前記所定の水平面は、前記電子カメラを含む水平面であり、
前記計算手段は、前記測定点から前記電子カメラを含む水平面に下ろした垂線の足と前記測定点との間の長さを計算することを特徴とする電子カメラ。
【請求項６】
請求項１に記載の電子カメラにおいて、
前記所定の水平面は、前記電子カメラを含む水平面とは異なる水平面であり、
前記電子カメラから前記所定の水平面に下ろした垂線の足と前記電子カメラとの間の長さを入力する入力手段をさらに有し、
前記計算手段は、前記入力手段によって入力された前記長さ情報に基づいて、前記測定点から前記所定の水平面に下ろした垂線の足と前記測定点との間の長さを計算することを特徴とする電子カメラ。
【請求項７】
請求項２または請求項３に記載の電子カメラにおいて、
前記角度測定手段によって測定された前記第１角度、および、前記第２角度、および、前記距離測定手段によって測定された前記第１距離、および、前記第２距離に基づいて、前記第１の測定点および前記第２の測定点がほぼ同一の鉛直線上にあるか否かを判定する判定手段をさらに有することを特徴とする電子カメラ。
【請求項８】
請求項１、５、６のいずれか１項に記載の電子カメラにおいて、
前記撮像手段によって撮像された記録用の画像を記録する記録手段と、
前記長さに関する値を前記記録用の画像に関連付けて記録する測定情報記録手段とをさらに有することを特徴とする電子カメラ。
【請求項９】
請求項８に記載の電子カメラにおいて、
前記測定情報記録手段は、前記記録用の画像に関連付けて前記測定点の位置に関する位置情報を記録することを特徴とする電子カメラ。
【請求項１０】
請求項２〜４、７のいずれか１項に記載の電子カメラにおいて、
前記撮像手段によって撮像された記録用の画像を記録する記録手段と、
前記長さに関する値を前記記録用の画像に関連付けて記録する測定情報記録手段とをさらに有することを特徴とする電子カメラ。
【請求項１１】
請求項１０に記載の電子カメラにおいて、
前記測定情報記録手段は、前記記録用の画像に関連付けて前記第１の測定点および前記第２の測定点の位置に関する位置情報を記録することを特徴とする電子カメラ。
【請求項１２】
請求項９または１１に記載の電子カメラにおいて、
前記記録用の画像に関連付けられた長さに関する情報、および、前記位置情報を前記記録用の画像に重ねて再生表示する再生手段を備えることを特徴とする電子カメラ。
【請求項１３】
請求項１〜１２のいずれか１項に記載の電子カメラにおいて、
前記撮像光学系は焦点調節のためのフォーカスレンズ群を含み、
前記フォーカスレンズ群を前記撮像光学系の光軸に沿った方向に移動させることにより前記測定点に焦点を合わせる焦点調節手段と、
前記焦点調節手段によって前記測定点に合焦した状態での前記フォーカスレンズ群の位置を検出する位置検出手段とをさらに有し、
前記距離測定手段は、前記位置検出手段によって検出された前記フォーカスレンズ群の位置に基づいて前記測定点までの距離を測定することを特徴とする電子カメラ。
【請求項１４】
請求項１〜１３のいずれか１項に記載の電子カメラにおいて、
前記受付手段による前記測定点の指定受け付けは、前記被写体像の記録動作の開始を指示する操作、または、前記被写体像に対する焦点調節動作の開始を指示する操作に応じて行われることを特徴とする電子カメラ。
【発明の詳細な説明】
【技術分野】
【０００１】
本発明は被写体の高さ、または、指定した二点間の長さの測定を行う機能を有する電子カメラに関する。
【背景技術】
【０００２】
電子カメラに内蔵されている傾斜センサによって、電子カメラの傾き度合いを検出することができる。特許文献１では、ユーザの設定した特定の角度でバックライトやモニタのＯＮ／ＯＦＦを行う技術が開示されている。
【特許文献１】特開２００６―１３５７６７
【発明の開示】
【発明が解決しようとする課題】
【０００３】
本発明は、カメラ内部の傾斜センサを活用し、被写体の高さ情報、または、指定した二点間の距離情報を容易に得られるカメラを提供することを課題とする。
【課題を解決するための手段】
【０００４】
請求項１に記載の電子カメラは、撮像光学系を介して結像された被写体像を撮像し、画像信号を出力する撮像手段と、前記撮像手段から出力された前記画像信号を表示する表示手段と、前記表示手段に表示された前記画像信号に基づいて、長さ測定の対象となる測定点の指定を受け付ける受付手段と、前記受付手段によって前記測定点が指定された際の所定の水平面に対するアオリ方向角度を測定する角度測定手段と、前記測定点までの距離を測定する距離測定手段と、前記角度測定手段によって測定された前記アオリ方向角度、および、前記距離測定手段によって測定された前記距離に基づいて、前記測定点から前記所定の水平面に下ろした垂線の足と前記測定点との間の長さに関する値を計算する計算手段とを有することを特徴とする。
【０００５】
請求項２に記載の電子カメラは、撮像光学系を介して結像された被写体像を撮像し、画像信号を出力する撮像手段と、前記撮像手段から出力された前記画像信号を表示する表示手段と、前記表示手段に表示された前記画像信号に基づいて、長さ測定の対象となる第１の測定点、および、第２の測定点の指定を受け付ける受付手段と、前記受付手段によって前記第１の測定点が指定された際の所定の水平面に対するアオリ方向角度である第１角度と、前記第２の測定点が指定された際の前記所定の水平面に対するアオリ方向角度である第２角度のうち少なくとも一方を測定する角度測定手段と、前記第１の測定点までの第１距離、および、前記第２の測定点までの第２距離を測定する距離測定手段と、前記角度測定手段によって測定された前記第１角度または前記第２角度のうち少なくとも一方、および、前記距離測定手段によって測定された前記第１距離および前記第２距離に基づいて、前記第１の測定点と前記第２の測定点との間の長さに関する値を計算する計算手段とを有することを特徴とする。
【０００６】
請求項３に記載の電子カメラは、撮像光学系を介して結像された被写体像を撮像し、画像信号を出力する撮像手段と、前記撮像手段から出力された前記画像信号を表示する表示手段と、前記表示手段に表示された前記画像信号に基づいて、長さ測定の対象となる第１の測定点、及び、第２の測定点の指定を受け付ける受付手段と、前記受付手段によって前記第１の測定点が指定された際の所定の水平面に対するアオリ方向角度である第１角度、及び、前記第２の測定点が指定された際の前記所定の水平面に対するアオリ方向角度である第２角度を測定する角度測定手段と、前記第１の測定点までの第１距離と、前記第２の測定点までの第２距離のうち少なくとも一方を測定する距離測定手段と、前記角度測定手段によって測定された前記第１角度および前記第２角度、および、前記距離測定手段によって測定された前記第１距離または前記第２距離のうち少なくとも一方に基づいて、前記第１の測定点と前記第２の測定点との間の長さに関する値を計算する計算手段とを有することを特徴とする。
【０００７】
請求項４に記載の電子カメラは、撮像光学系を介して結像された被写体像を撮像し、画像信号を出力する撮像手段と、前記撮像手段から出力された前記画像信号を表示する表示手段と、前記表示手段に表示された前記画像信号に基づいて、長さ測定の対象となる第１の測定点、および、第２の測定点の指定を受け付ける受付手段と、前記受付手段によって前記第１の測定点が指定された際の所定の水平面に対するアオリ方向角度である第１角度、および、前記第２の測定点が指定された際の前記所定の水平面に対するアオリ方向角度である第２角度を測定する角度測定手段と、前記第１の測定点と前記第２の測定点とを結ぶ直線の延長上に位置し、アオリ方向の角度がほぼ水平である第３の測定点までの距離を測定する距離測定手段と、前記角度測定手段によって測定された前記第１角度および前記第２角度、および、前記距離測定手段によって測定された前記第３の測定点までの距離に基づいて、前記第１の測定点と前記第２の測定点との間の長さに関する値を計算する計算手段とを有することを特徴とする。
【０００８】
請求項５に記載の電子カメラは、請求項１に記載の電子カメラにおいて、前記所定の水平面は、前記電子カメラを含む水平面であり、前記計算手段は、前記測定点から前記電子カメラを含む水平面に下ろした垂線の足と前記測定点との間の長さを計算することを特徴とする。
【０００９】
請求項６に記載の電子カメラは、請求項１に記載の電子カメラにおいて、前記所定の水平面は、前記電子カメラを含む水平面とは異なる水平面であり、前記電子カメラから前記所定の水平面に下ろした垂線の足と前記電子カメラとの間の長さを入力する入力手段をさらに有し、前記計算手段は、前記入力手段によって入力された前記長さ情報に基づいて、前記測定点から前記所定の水平面に下ろした垂線の足と前記測定点との間の長さを計算することを特徴とする。
【００１０】
請求項７に記載の電子カメラは、請求項２または請求項３に記載の電子カメラにおいて、前記角度測定手段によって測定された前記第１角度、および、前記第２角度、および、前記距離測定手段によって測定された前記第１距離、および、前記第２距離に基づいて、前記第１の測定点および前記第２の測定点がほぼ同一の鉛直線上にあるか否かを判定する判定手段をさらに有することを特徴とする。
【００１１】
請求項８に記載の電子カメラは、請求項１、５、６のいずれか１項に記載の電子カメラにおいて、前記撮像手段によって撮像された記録用の画像を記録する記録手段と、前記長さに関する値を前記記録用の画像に関連付けて記録する測定情報記録手段とをさらに有することを特徴とする。
【００１２】
請求項９に記載の電子カメラは、請求項８に記載の電子カメラにおいて、前記測定情報記録手段は、前記記録用の画像に関連付けて前記測定点の位置に関する位置情報を記録することを特徴とする。
【００１３】
請求項１０に記載の電子カメラは、請求項２〜４、７のいずれか１項に記載の電子カメラにおいて、前記撮像手段によって撮像された記録用の画像を記録する記録手段と、前記長さに関する値を前記記録用の画像に関連付けて記録する測定情報記録手段とをさらに有することを特徴とする。
【００１４】
請求項１１に記載の電子カメラは、請求項１０に記載の電子カメラにおいて、前記測定情報記録手段は、前記記録用の画像に関連付けて前記第１の測定点および前記第２の測定点の位置に関する位置情報を記録することを特徴とする。
【００１５】
請求項１２に記載の電子カメラは、請求項９または１１に記載の電子カメラにおいて、前記記録用の画像に関連付けられた長さに関する情報、および、前記位置情報を前記記録用の画像に重ねて再生表示する再生手段を備えることを特徴とする。
【００１６】
請求項１３に記載の電子カメラは、請求項１〜１２のいずれか１項に記載の電子カメラにおいて、前記撮像光学系は焦点調節のためのフォーカスレンズ群を含み、前記フォーカスレンズ群を前記撮像光学系の光軸に沿った方向に移動させることにより前記測定点に焦点を合わせる焦点調節手段と、前記焦点調節手段によって前記測定点に合焦した状態での前記フォーカスレンズ群の位置を検出する位置検出手段とをさらに有し、前記距離測定手段は、前記位置検出手段によって検出された前記フォーカスレンズ群の位置に基づいて前記測定点までの距離を測定することを特徴とする。
【００１７】
請求項１４に記載の電子カメラは、請求項１〜１３のいずれか１項に記載の電子カメラにおいて、前記受付手段による前記測定点の指定受け付けは、前記被写体像の記録動作の開始を指示する操作、または、前記被写体像に対する焦点調節動作の開始を指示する操作に応じて行われることを特徴とする。
【発明の効果】
【００１８】
本発明によって、被写体の高さ、または、指定した二点間の長さに関する情報を容易に得ることが可能な電子カメラを提供できる。
【発明を実施するための最良の形態】
【００１９】
本発明に係る測定機能を有する電子カメラ１００を例示し、実施形態を以下に記す。
・構成
本実施形態の電子カメラ１００の構成を図１の斜視図を用いて説明する。電子カメラ１００の上部に取り付けられている電源ボタン１０１は、電子カメラ１００の電源のＯＮまたはＯＦＦを指令するボタンである。レリーズボタン１０２は、押し下げる深さに応じて「半押し」と「全押し」の二段階に操作可能な様に構成される。レリーズボタンの半押し操作は、被写体像を合焦させるための操作であり、レリーズボタンの全押し操作は、記録用画像の撮像の開始を指令するための操作である。撮影モード選択ボタン１０３は撮影モードを開始させるためのボタンであり、再生モード選択ボタン１０４は撮像した画像を再生表示するための再生モードを開始させるためのボタンである。測定モード選択ボタン１０５は本発明の特徴である測定モードを開始させるためのボタンである。ＬＣＤ１０６は、画像情報、アイコン、文字、数字、記号等を表示する液晶パネルである。操作部１０７は、ＬＣＤ１０６に表示した項目の選択、機能の決定、数値の入力等を行うための操作部材である。また、測定ボタン１０８は測定点を指定するためのボタンであり、詳しい使用方法は後述する。
【００２０】
次に、電子カメラ１００の内部構成を図２のブロック図を参照して説明する。電子カメラ１００内部は、撮影レンズ群２０１、シャッタ２０２、絞り２０３、撮像素子２０４、撮像制御回路２０５、映像回路２０６、ＡＦ制御回路２０７、ＡＦ駆動部２０８、シャッタ制御回路２０９、シャッタ駆動部２１０、絞り制御回路２１１、絞り駆動部２１２、ＣＰＵ２１３、バッファメモリ２１４、フラッシュＲＡＭ２１５、表示コントロール部２１６、ＬＣＤ１０６、Ｉ／Ｏ部２１７、カード型メモリ２１８、操作検出部２１９（レリーズボタン半押しスイッチ２１９ａ、レリーズボタン全押しスイッチ２１９ｂ、測定ボタンスイッチ２１９ｃ、・・・、その他操作スイッチ）、傾斜測定部２２０、距離測定部２２１から構成される。
【００２１】
撮影レンズ群２０１を通過した被写体像は、光電変換素子である撮像素子２０４の撮像面に結像する。撮像素子２０４は、撮像面上に結像した被写体像をアナログの電気信号に変換する。撮像制御回路２０５は撮像素子２０４を駆動して、露光時間の制御および撮像素子２０４からのアナログ電気信号を映像回路２０６へ出力させる。撮像素子２０４から出力されたアナログ電気信号は映像回路２０６によって増幅およびデジタル化されてデジタルの画像信号としてＣＰＵ２１３に出力される。映像回路２０６から出力されたデジタル画像信号は、ＣＰＵ２１３によって揮発性の記録媒体であるバッファメモリ２１４に一旦格納される。また、ＣＰＵ２１３は、バッファメモリ２１４に格納されたデジタル画像信号に対して、色補間、階調変換、輪郭強調や圧縮処理などの画像処理を施す。
【００２２】
また、撮影レンズ群２０１は不図示の焦点を合わせるための合焦レンズ２０１ａを有する。合焦レンズ２０１ａに接続されたＡＦ駆動部２０８は、合焦レンズ２０１ａを駆動する。ＡＦ駆動部２０８に接続されたＡＦ制御回路２０７は、合焦レンズ２０１ａによる合焦を制御する。
【００２３】
シャッタ２０２に接続されたシャッタ駆動部２１０は、シャッタ２０２を駆動する。シャッタ駆動部２１０に接続されたシャッタ制御回路２０９は、シャッタ２０２の開閉時間を制御する。
絞り２０３に接続された絞り駆動部２１２は絞り２０３を駆動する。絞り駆動部２１２に接続された絞り制御回路２１１は、絞り２０３の開口度合いを制御する。
表示コントロール部２１６は、画像をＬＣＤ１０６に表示する制御や画像に重ねてアイコン、文字、数字、記号等をＬＣＤ１０６に表示する制御を行う。
【００２４】
フラッシュＲＡＭ２１５は不揮発性の記録媒体であり、ＣＰＵ２１３が実行するプログラム等が記憶されている。また、後述するフローチャートは、ＣＰＵ２１３が実行するプログラムの処理の流れを示している。カード型メモリ２１８は、主に画像データを記録するための電子カメラ１００に着脱可能な不揮発性の記録媒体であり、Ｉ／Ｏ部２１７は、カード型メモリ２１８をカメラ１００へ接続するためのインターフェースである。
【００２５】
操作検出部２１９は、電子カメラ１００の操作が検出されると、ＣＰＵ２１３に信号を伝達する。例えば、使用者によってレリーズボタン１０２が半押しされると、操作検出部２１９はレリーズボタン半押しスイッチ２１９ａのＯＮ信号を検出し、レリーズボタンの半押しに対応した信号をＣＰＵ２１３に伝達する。また、使用者によってレリーズボタン１０２が全押しされると、操作検出部２１９はレリーズボタンの全押しスイッチ２１９ｂのＯＮ信号を検出し、レリーズボタンの全押しに対応した信号をＣＰＵ２１３に伝達する。また、使用者によって測定ボタン１０８が押下されると、操作検出部２１９は測定ボタンススイッチ２１９ｃのＯＮ信号を検出し、測定ボタン１０８の押下に対応した信号をＣＰＵ２１３に伝達する。同様に、他の操作においても、それぞれの操作に対応した信号をＣＰＵ２１３に伝達する。
【００２６】
また、傾斜測定部２２０は、例えばジャイロセンサなどから構成され、水平面を基準とした電子カメラ１００のアオリ角度を検出し、そのアオリ角度の値をＣＰＵ２１３に出力する。距離測定部２２１は、赤外線の発振および検出が可能な構成とし、発振された赤外線が被写体に当たって戻ってくるまでの時間に基づいて電子カメラ１００と被写体との距離を割り出し、この距離の値をＣＰＵ２１３に出力する。
【００２７】
・撮影準備段階
撮影準備段階において、シャッタ制御回路２０９は、シャッタ２０２を開放して撮影レンズ群２０１を通過した光を撮像素子２０４に逐次結像させる。撮像素子２０４は結像された被写体情報を撮像し、画像信号として出力する。撮像素子２０４から逐次出力された被写体像の画像信号はＣＰＵ２１３によって周期的に画像処理が施される。また、周期的に画像処理が施された被写体像は、表示コントロール部２１６によって動画的にＬＣＤ１０６に表示される。ほぼ同時に、ＣＰＵ２１３は、撮像素子２０４によって撮像された画像の輝度レベルを検出し、検出された輝度レベルにより絞り制御回路２１１により絞り２０３の開口度合いを調整する。以下では、動画的に表示するために撮像した画像を「スルー画」と称す。
【００２８】
また、ＣＰＵ２１３によって、レリーズボタン半押しスイッチ２１９ａがＯＮであると判定されると、距離測定部２２１によって電子カメラ１００から被写体までの距離が測定され、測定された情報がＣＰＵ２１３に伝達される。ＣＰＵ２１３は伝達された距離情報に基づいて被写体に焦点が合うように合焦レンズ２０１ａの合焦位置を決定し、合焦レンズ２０１ａはＡＦ駆動部２０８によって決定された位置へ駆動される。なお、電子カメラ１００は、レリーズボタン半押しスイッチ２１９ａがＯＦＦの時にも、上述の合焦処理を繰り返し実行する常時オートフォーカス機能を動作させても良い。
【００２９】
・記録用画像の撮像
次に、記録用画像の撮影について説明する。ＣＰＵ２１３によってレリーズボタン全押しスイッチ２１９ｂがＯＮであると判定されると、ＣＰＵ２１３によって撮像制御回路２０５、シャッタ制御回路２０９および絞り制御回路２１１へ指示が施され、露光条件を調整して記録用画像の撮像が実行され、結果得られた画像信号に対して画像処理が施され、圧縮画像が生成される。そして、ＣＰＵ２１３は、圧縮画像を記録用画像としてＩ／Ｏ部２１７を介し、カード型メモリ２１８へ記録する。
【００３０】
・電子カメラ１００のアオリ角の定義
図３、および、図４を参照して電子カメラ１００のアオリ角度θの定義について説明する。図３は、電子カメラ１００の基準となる姿勢を示している。軸Ｋは電子カメラ１００の光軸方向を示しており、軸Ｋが水平面内にあり、なおかつ、辺１０９が鉛直面内にある状態を電子カメラ１００の基準の姿勢と定義する。図３に示す軸Ａは水平面内の軸であり、基準の姿勢の時の軸Ｋと一致し、軸Ａと結像面との交点を中心点Ｏ（不図示）とする。また、軸Ｂは中心点Ｏを通り鉛直方向を指す軸と定義し、軸Ｃは中心点Ｏを通り、かつ、軸Ａに垂直、かつ、軸Ｂに垂直な軸と定義する。
【００３１】
図４には、電子カメラ１００を軸Ｃの回りにθだけ回転させた時の電子カメラ１００の側面から見た様子を図示した。この時の軸Ａと軸Ｋのなす角度をアオリ角度θと定義する。傾斜測定部２２０によって、アオリ角度θは、軸Ｋが軸Ａに対して仰角となる場合を正とし、俯角となる場合を負として測定され、ＣＰＵ２１３に出力される。
【００３２】
・第１の実施形態
図５に示すように、ビルの頂上（測定点Ａ１）の高さを測定する場合を例にとって第１の実施形態における測定の原理を説明する。図６は、表示コントロール部２１６によって、スルー画に重ねて「〔 〕」の形の測定スポット３０１をＬＣＤ１０６に表示させた様子を示す図である。測定スポット３０１は常時ＬＣＤ１０６の中心に表示される。使用者は、電子カメラ１００のアオリ操作によって、図６に示す測定スポット３０１の「〔 〕」の中心を所望の被写体の点に一致させ、測定ボタン１０８によって測定点を指定する。ＣＰＵ２１３は、測定ボタンスイッチ２１９ｃが押下された時の測定スポット３０１が示すスポットを測定点として受け付け後述の測定を行う。
【００３３】
また、図に示す距離Ｌ１は、測定点Ａ１が指定された時の電子カメラ１００と測定点Ａ１との間の距離であり、距離測定部２２１によって測定される。アオリ角度θ１は、測定点Ａ１が指定された時の電子カメラ１００のアオリ角度であり、傾斜測定部２２０によって測定される。高さＨ１は、測定点Ａ１から電子カメラ１００を含む水平面に下ろした垂線の足Ｂ１と測定点Ａ１との間の長さとなる。高さＨ１は、ＣＰＵ２１３によって、次式（１）を用いて算出される。
Ｈ１＝｜Ｌ１ｓｉｎ（θ１）｜          ・・・（１）
次に第１の実施形態における高さＨ１の測定処理について、図７および図８のフロー図を参照して説明する。
【００３４】
ＣＰＵ２１３によって測定モード選択ボタン１０５の操作が検出されると、ＣＰＵ２１３は、後述の測定処理を開始させる。ステップＳ１０１において、ＣＰＵ２１３によって現在が測定モードであるか否かが判定され、現在が測定モードであると判定されると、ステップＳ１０２に進み、測定モードでなくなったと判定されると本処理を終了する。ステップＳ１０２では、前述の通りスルー画の撮像が施され、表示コントロール部２１６は被写体の様子を動画的にＬＣＤ１０６に表示させ、ステップＳ１０３に進む。ステップＳ１０３において、表示コントロール部２１６は、スルー画に重ねて「測定ボタンで測定点を指定してください」とＬＣＤ１０６に表示し、ステップＳ１０４に進む。なお、図６に示したとおり、スルー画に重ねてＬＣＤ１０６の中心に測定スポット３０１も表示させる。ステップＳ１０４では、ＣＰＵ２１３によって、測定ボタンスイッチ２１９ｃがＯＮであるか否かが判定され、測定ボタンスイッチ２１９ｃがＯＮである場合にはステップＳ１０５に進む。
【００３５】
なお、ＣＰＵ２１３は、ステップＳ１０４で指定された測定点Ａ１の位置をカメラの動きに対応するスルー画内の動きに合わせて追尾させて随時認識しておくものとする。ＣＰＵ２１３によって、測定ボタンスイッチ２１９ｃがＯＦＦであると判定された場合にはステップＳ１０３に移行する。ステップＳ１０５では、前述の合焦処理が施されステップＳ１０６に進む。ステップＳ１０６では、距離測定部２２１によって距離Ｌ１が測定され、ステップＳ１０７に進む。ステップＳ１０７では、傾斜測定部２２０によって、アオリ角度θ１が測定され、ステップＳ１０８に進む。ステップＳ１０８において、ＣＰＵ２１３は以上で求められた距離Ｌ１、および、アオリ角度θ１に基づいて高さＨ１を算出し、ステップＳ１０９に進む。ステップＳ１０９では、表示コントロール部２１６は、図９に示す様にスルー画に重ねて、高さＨ１をＬＣＤ１０６に表示させ、ステップＳ１１０に進む。
【００３６】
ステップＳ１１０において、表示コントロール部２１６は、スルー画に重ねて「記録用画像の撮影をしますか？ＹＥＳ  ｏｒ  Ｎｏ」という使用者に選択を促すメッセージをＬＣＤ１０６に表示し、ステップＳ１１１に進む。
ステップＳ１１１において、ＣＰＵ２１３によって、使用者によってＹＥＳが選択されたと判定された場合にはステップＳ１１２に進み、使用者によってＮｏが選択されたと判定された場合にはステップＳ１０１に移行する。
【００３７】
ステップＳ１１２では、レリーズボタン半押しスイッチ２１９ａがＯＮであるか否かが判定されレリーズボタン半押しスイッチ２１９ａがＯＮである場合にはステップＳ１１３に進み、レリーズボタン半押しスイッチ２１９ａがＯＦＦである場合にはステップＳ１１４に移行する。ステップＳ１１３では、前述の合焦処理が施されステップＳ１１４に進む。ステップＳ１１４では、レリーズボタン全押しスイッチ２１９ｂがＯＮであるか否かが判定されレリーズボタン全押しスイッチ２１９ｂがＯＮである場合にはステップＳ１１５に進み、レリーズボタン半押しスイッチ２１９ｂがＯＦＦである場合にはステップＳ１１２に移行する。
【００３８】
ステップＳ１１５では、前述した記録用画像の撮像が施され、ステップＳ１１６に進む。ステップＳ１１６では、ＣＰＵ２１３による測定点の位置の追尾により、記録用画像における測定点の位置情報が決定され、ステップＳ１１７に進む。ステップＳ１１７では、ＣＰＵ２１３はステップＳ１１５で撮像された記録用画像をＩ／Ｏ部２１７を介してカード型メモリ２１８に保存する。その際に、後から読み出しできる形式で高さＨ１および測定点の位置情報を記録用画像に関連づける処理を施す。例えば、ＣＰＵ２１３は記録用画像をＥｘｃｈａｎｇｅａｂｌｅ  ｉｍａｇｅ  ｆｉｌｅ  ｆｏｒｍａｔ（以下Ｅｘｉｆ）形式で保存し、ＥｘｉｆのＴａｇ情報内に高さＨ１と測定点の位置情報を書き込むようにする。
【００３９】
ステップＳ１１８では、ＣＰＵ２１３によってＳ１１５で撮像された記録用画像がフリーズ画として表示される。なお、記録用画像には高さＨ１と測定点の位置情報が関連付けられているため、フリーズ画や再生画像として図１０に示すように記録用画像に重ねて高さＨ１の値および測定点の位置情報を表示することができる。以上が第一の実施形態の説明である。
【００４０】
・第２の実施形態
次に、図１１に示すように、地面と電子カメラ１００との間の長さＨ２（以下、高さＨ２）を考慮して、ビルの頂上（測定点Ａ１）の高さＨ３を測定する場合を例にとって第２の実施形態における測定の原理を説明する。図１１に示す測定では、ビルの建っている地面と使用者の立っている地面とが同じ高度の場合を想定している。以下に、図７および図８のフロー図を参照して第１の実施形態で説明した測定処理と異なる点を中心に説明する。
【００４１】
第２の実施形態の電子カメラ１００は、電子カメラ１００から地面までの距離が入力可能な様に構成される。例えば、使用者は操作部１０７の上下キーボタンで数値の増減を調整し、高さＨ２を入力するものとする。ステップＳ１０１とステップＳ１０２との間に入力を受け付ける処理を設け、ＣＰＵ２１３は入力された高さＨ２の値を受け付ける。ステップＳ１０９において、ＣＰＵ２１３は、使用者によって入力された高さＨ２を加味して、高さＨ３を算出する。なお、高さＨ３は、ＣＰＵ２１３によって次式（２）を用いて算出される。
Ｈ３＝｜Ｌ１ｓｉｎ（θ１）＋Ｈ２｜          ・・・（２）
他の処理ステップについては、第１の実施形態と同様であり、説明を省略する。以上が第２の実施形態の説明である。
【００４２】
・第３の実施形態
次に、図１２に示すように、ビルの頂上（測定点Ａ１）とビルの最下部（測定点Ａ２）との間の長さＨ３（以下、高さＨ３）を測定する場合を例にとって、第３の実施形態における測定の原理を説明する。使用者は、電子カメラ１００のアオリ操作によって、図１３に示す測定スポット３０１の「〔 〕」の中心を所望の測定物の最下部に一致させ、測定ボタン１０８の押下によって測定点Ａ２を指定する。ＣＰＵ２１３は、測定ボタン１０８の押下が行われた時の測定スポット３０１が示すスポットを測定点として受け付け後述の測定を行う。図１４に示した測定点Ａ１の指定方法も同様である。
【００４３】
また、図１２に示す距離Ｌ１は測定点Ａ１が指定された時の電子カメラ１００と測定点Ａ１との間の距離であり、距離Ｌ２は測定点Ａ２が指定された時の電子カメラ１００と測定点Ａ２との間の距離であり、距離Ｌ１および距離Ｌ２は距離測定部２２１によって測定される。アオリ角度θ１は測定点Ａ１が指定された時の電子カメラ１００のアオリ角度であり、アオリ角度θ２は測定点Ａ２が指定された時の電子カメラ１００のアオリ角度であり、アオリ角度θ１およびアオリ角度θ２は傾斜測定部２２０によって測定される。
【００４４】
高さＨ３は、ＣＰＵ２１３によって、次式（３）を用いて算出される。
Ｈ３＝｜Ｌ１ｓｉｎ（θ１）−Ｌ２ｓｉｎ（θ２）｜          ・・・（３）
次に第３の実施形態の測定処理について、図１５および図１６のフロー図を参照して説明する。なお、図７および図８のフロー図を用いて説明した処理と同様の処理となるステップには同符号を付け、説明を省略する。
【００４５】
ステップＳ２０１では、表示コントロール部２１６は、スルー画に重ねて「測定ボタンで測定物の最下点を指定してください」とＬＣＤ１０６に表示し、ステップＳ２０２に進む。ステップＳ２０２では、ＣＰＵ２１３によって、測定ボタンスイッチ２１９ｃがＯＮであるか否かが判定され、測定ボタンスイッチ２１９ｃがＯＮである場合には、ステップＳ１０５に進む。なお、ＣＰＵ２１３は、ステップＳ２０２で指定された測定点Ａ２の位置をカメラの動きに対応するスルー画内の動きに合わせて追尾させて随時認識しておくものとする。ＣＰＵ２１３によって、測定ボタンスイッチ２１９ｃがＯＦＦであると判定された場合にはステップＳ１０１に移行する。
【００４６】
ステップＳ２０３では、距離測定部２２１によって距離Ｌ２が測定され、ステップＳ２０４に進む。ステップＳ２０４では、傾斜測定部２２０によって、アオリ角度θ２が測定され、ステップＳ２０５に進む。
ステップＳ２０５では、表示コントロール部２１６は、スルー画に重ねて「測定ボタンで測定物の最上点を指定してください」とＬＣＤ１０６に表示し、ステップＳ２０６に進む。ステップＳ２０６では、ＣＰＵ２１３によって、測定ボタンスイッチ２１９ｃがＯＮであるか否かが判定され、測定ボタンスイッチ２１９ｃがＯＮである場合には、ステップＳ１０５に進む。なお、ＣＰＵ２１３は、ステップＳ２０２で指定された測定点Ａ１の位置をカメラの動きに対応するスルー画内の動きに合わせて追尾させて随時認識しておくものとする。ＣＰＵ２１３によって、測定ボタンスイッチ２１９ｃがＯＦＦであると判定された場合にはステップＳ２０５に移行する。ステップＳ２０７では、ＣＰＵ２１３は以上で求めた距離Ｌ１、距離Ｌ２、アオリ角度θ１およびアオリ角度θ２に基づいて高さＨ３を算出し、ステップＳ２０８に進む。
【００４７】
ここで、ステップＳ２０８の鉛直性Ｇの演算処理とステップＳ２０９の鉛直性の評価のステップについて図１８を用いて説明する。本処理は、例えば、測定者の位置からビルＡの後方にビルＢが視認できる状態において、使用者がビルＡの測定点Ａ１と測定点Ａ２との間の長さを知りたい場合を仮定し、誤って測定点Ｂ１が指定された時に高さを表示することを防ぐための処理である。誤って点Ｂ１が指定された場合には、Ｌ２ｃｏｓ（θ２）の長さとＬ１ｃｏｓ（θ１）の長さが一致しない。このことを利用して、各測定点がほぼ同一の所定の鉛直線上に位置するか否かを評価する。
【００４８】
ステップＳ２０８では、ＣＰＵ２１３によって、鉛直度合いを示す鉛直性Ｇの値が、次式（４）を用いて算出され、ステップＳ２０９に進む。
Ｇ＝｜Ｌ２ｃｏｓ（θ２）−Ｌ１ｃｏｓ（θ１）｜          ・・・（４）
ステップＳ２０９では、ＣＰＵ２１３によって鉛直性Ｇの値が所定の値以下か否かが判定され、所定の値以下の場合には測定点Ａと測定点Ｂとがほぼ同一鉛直線内にあると判断しステップＳ２１０に進み、所定の値よりも大きい場合には測定点Ａと測定点Ｂとが同一鉛直線内にないと判断しステップＳ２１１へ進む。
【００４９】
ステップＳ２１０では、表示コントロール部２１６は、スルー画に重ねて高さＨ３の値をＬＣＤ１０６に表示し、ステップＳ１１０に移行する。例えば、ステップＳ２１０では、図９に示すような表示形態と同様の形態で、高さＨ３の値を表示する。一方で、ステップＳ２１１では、表示コントロール部２１６は、スルー画に重ねて「もう一度測定点を指定し直してください」と表示し、ステップＳ１０１に移行する。
【００５０】
ステップＳ２１２では、ＣＰＵ２１３による測定点Ａ１と測定点Ａ２の位置の追尾により、記録用画像における測定点の位置情報が決定され、ステップＳ２１３に進む。ステップＳ２１３では、ＣＰＵ２１３はステップＳ１１５で撮像された記録用画像をＩ／Ｏ部２１７を介してカード型メモリ２１８に保存する。その際に、後から読み出しできる形式で高さＨ３および測定点Ａ１、Ａ２の位置情報を記録用画像に関連づける処理を施す。例えば、ＣＰＵ２１３は記録用画像をＥｘｃｈａｎｇｅａｂｌｅ  ｉｍａｇｅ  ｆｉｌｅ  ｆｏｒｍａｔ（以下Ｅｘｉｆ）形式で保存し、ＥｘｉｆのＴａｇ情報内に高さＨ３と測定点Ａ１と測定点Ａ２との位置情報を書き込むようする。
【００５１】
ステップＳ２１４では、ＣＰＵ２１３によってＳ１１５で撮像された記録用画像がフリーズ画として表示される。なお、記録用画像には高さＨ３と測定点Ａ１と測定点Ａ２の位置情報が関連付けられているため、フリーズ画や再生画像として図１７に示すように記録用画像に重ねて高さＨ２の値および測定点Ａ１と測定点Ａ２との位置情報を表示することができる。
【００５２】
例えば、測定点Ａ２から測定点Ａ１を指す矢印を記録用画像に重ねて表示させることで、高さＨ３の値がどこを基準とした場合のどこの高さであるかを視認することができる。以上が第３の実施形態の説明である。
【００５３】
・第４の実施形態
第４の実施形態では、第３の実施形態で説明した図１５および図１６に示す測定処理からステップＳ２０８、ステップＳ２０９およびステップＳ２１１の処理を省く。さらに、第３の実施形態では、測定点Ａ１が指定された時の距離Ｌ１、アオリ角度θ１、および、測定点Ａ２が指定された時の距離Ｌ２、アオリ角度θ２を測定したが、第４の実施形態では距離Ｌ１または距離Ｌ２のうちいずれか一方とアオリ角度θ１、アオリ角度θ２から高さＨ３を算出する。すなわち、図１５に示す測定処理からステップＳ２０３の処理が省かれるか、もしくは、ステップＳ１０６の処理が省かれる。ステップＳ２０７における高さＨ３の算出は、次の２つの式（５）（６）のいずれかが用いられて算出される。
Ｈ３＝｜｛Ｌ２ｃｏｓ（θ２）｝ｔａｎ（θ１）―Ｌ２ｓｉｎ（θ２）｜          ・・・（５）
Ｈ３＝｜Ｌ１ｓｉｎ（θ１）―｛Ｌ１ｃｏｓ（θ１）｝ｔａｎ（θ２）｜          ・・・（６）
以上が第４の実施形態の説明である。
【００５４】
・第５の実施形態
第５の実施形態では、第３の実施形態で説明した図１５および図１６に示す測定処理からステップＳ２０８、ステップＳ２０９、および、ステップＳ２１１の処理を省く。さらに、第３の実施形態では、測定点Ａ１が指定された時の距離Ｌ１、アオリ角度θ１、および、測定点Ａ２が指定された時の距離Ｌ２、アオリ角度θ２を測定したが、第５の実施形態ではアオリ角度θ１またはアオリ角度θ２のうちいずれか一方と距離Ｌ１、距離Ｌ２から高さＨ３を算出する。すなわち、図１５に示す測定処理からステップＳ２０４の処理が省かれるか、もしくは、ステップＳ１０７の処理が省かれる。ステップＳ２０７における高さＨ３の算出は、次の式（７）または式（８）のいずれかの数式が用いられて算出される。
【００５５】
【数１】
2010124262.tif 000003
【００５６】
【数２】
2010124262.tif 000004
【００５７】
以上が第５の実施形態の説明である。
【００５８】
・第６の実施形態
次に、図１９に示すように、ビルの頂上（測定点Ａ１）とビルの最下部（測定点Ａ２）との間の長さＨ３（以下、高さＨ３）を測定する場合を例にとって第６の実施形態における測定の原理を説明する。
【００５９】
図１９に示す測定点Ａ３は、測定点Ａ１と測定点Ａ２を結ぶ直線の延長線上に位置する点である。測定点Ａ３を指定する際のＬＣＤ１０６の様子を図２０に示す。使用者は、電子カメラ１００の基準の姿勢を維持して測定点Ａ３を指定する。ＬＣＤ１０６に表示される電子カメラ１００の傾き情報３０２は、現在の電子カメラ１００のアオリ角を示しており、使用者が電子カメラ１００の基準の姿勢を維持するのを促すための情報である。なお、矢印３０３が０°を示す時が電子カメラ１００の基準の姿勢である。また、測定点Ａ２と測定点Ａ１の指定方法は第３の実施形態と同様であり、図２１、図２２にそれぞれ示した。
【００６０】
図１９に示す距離Ｌ３は測定点Ａ３が指定された時の電子カメラ１００と測定点Ａ３との間の距離であり、距離測定部２２１によって測定される。アオリ角度θ１は測定点Ａ１が指定された時の電子カメラ１００のアオリ角度であり、アオリ角度θ２は測定点Ａ２が指定された時の電子カメラ１００のアオリ角度であり、アオリ角度θ１およびアオリ角度θ２は傾斜測定部２２０によって測定される。
【００６１】
高さＨ３は、ＣＰＵ２１３によって、次式（９）を用いて算出される。
Ｈ３＝｜Ｌ３ｔａｎ（θ１）―Ｌ３ｔａｎ（θ２）｜          ・・・（９）
次に第６の実施形態の測定処理について、図２３および図１６のフロー図を参照して説明する。なお、図７、図８、図１５または図１６のフロー図を用いて説明した処理と同様の処理となるステップには同符号を付け、説明を省略する。
【００６２】
ステップＳ３０１において、表示コントロール部２１６は、図２０に示すように、スルー画の表示と同時にカメラの傾き情報、および、「水平になる姿勢を維持して、測定ボタンで測定物を指定してください」というメッセージをＬＣＤ１０６に表示し、ステップＳ２０２に進む。ステップＳ３０２では、表示コントロール部２１６は、スルー画の表示と同時にカメラの傾き情報、および、「測定ボタンで、最下点を指定してください」というメッセージをＬＣＤ１０６に表示し、ステップＳ２０６に進む。ステップＳ３０３では、表示コントロール部２１６は、スルー画の表示と同時にカメラの傾き情報、および、「測定ボタンで、最上点を指定してください」というメッセージをＬＣＤ１０６に表示し、ステップＳ２０６に進む。
【００６３】
ステップＳ３０５において、ＣＰＵ２１３は以上で求めた距離Ｌ３、アオリ角度θ１およびアオリ角度θ２に基づいて高さＨ３を算出する。以上が第６の実施形態の説明である。
【００６４】
・第７の実施形態
第１の実施形態では測定ボタン１０８によって測定点の指定を行う構成としたが、レリーズボタンの半押し、または、レリーズボタンの全押しによって、測定点を指定しても良い。以下、第７の実施形態について第１の実施形態と主に異なる点について詳述する。第７の実施形態における電子カメラは、図１に示すブロック図の測定ボタン１０８と図２に示す測定ボタンスイッチ２１９ｃとを省いて構成される。
【００６５】
図５に示すように、ビルの頂上（測定点Ａ１）の高さを測定する場合を例にとって第７の実施形態における測定の原理を説明する。使用者は、電子カメラ１００のアオリ操作によって、図６に示す測定スポット３０１の「〔 〕」の中心を所望の被写体の点に一致させ、レリーズボタン１０２の半押しまたはレリーズボタン１０２の全押しによって測定点を指定する。ＣＰＵ２１３は、レリーズボタン１０２の半押しまたはレリーズボタン１０２の全押しが行われた時の測定スポット３０１が示すスポットを測定点として受け付け後述の測定を行う。
【００６６】
また、図２４に示したフローチャートは、ＣＰＵ２１３が実行するプログラムの処理の流れを示しており、図７、および、図８のフロー図を用いて説明した処理と同様の処理となるステップには同符号を付け、説明を省略する。
【００６７】
ＣＰＵ２１３によって測定モード選択ボタン１０５の操作が検出されると、ＣＰＵ２１３は、後述の測定処理を開始させる。
【００６８】
ステップＳ４０１において、表示コントロール部２１６は、スルー画に重ねて「レリーズボタンの半押し、または、全押しで測定点を指定してください」とＬＣＤ１０６に表示し、ステップＳ４０２に進む。ステップＳ４０２では、ＣＰＵ２１３によって、レリーズボタン半押しスイッチ２１９ａがＯＮであるか否かが判定され、レリーズボタン半押しスイッチ２１９ａがＯＮである場合には、ステップＳ１０５に進み、ＯＦＦである場合にはステップＳ４０３に進む。ステップＳ４０３では、ＣＰＵ２１３によって、レリーズボタン全押しスイッチ２１９ｂがＯＮであるか否かが判定され、レリーズボタン全押しスイッチ２１９ｂがＯＮである場合には、ステップＳ４０４に進み、ＯＦＦである場合にはステップＳ１０１に進む。ステップＳ４０４ではステップＳ１０５と同じ処理が施され、ステップＳ４０５ではステップＳ１０６と同じ処理が施され、ステップＳ４０６ではステップＳ１０７と同じ処理が施され、ステップＳ４０７ではステップＳ１０８と同じ処理が施されるため説明を省略する。
【００６９】
第７の実施形態では、レリーズの半押し操作によって、スルー画に重ねて高さに関する情報を表示することができ、レリーズの全押し操作によって、記録用画像の撮像とともに高さに関する情報を算出し、高さに関する情報を記録用画像に関連付けて保存できる。
また、第２の実施形態で示したように、第７の実施形態において電子カメラ１００は、電子カメラ１００から地面までの距離が入力可能な様に構成しても良い。図１１に示すように、地面と電子カメラ１００との間の長さＨ２（以下、高さＨ２）を考慮して、ビルの頂上（測定点Ａ１）の高さＨ３を測定しても良い。
【００７０】
・第８の実施形態
第８の実施形態について他の実施形態と主に異なる点について詳述する。第８の実施形態における電子カメラは、図１に示すブロック図の測定ボタン１０８と図２に示す測定ボタンスイッチ２１９ｃとを省いて構成される。図１２に示すように、ビルの頂上（測定点Ａ１）とビルの最下部（測定点Ａ２）との間の長さＨ３（以下、高さＨ３）を測定する場合を例にとって、第８の実施形態における測定の原理を説明する。
【００７１】
使用者は、電子カメラ１００のアオリ操作によって、測定スポット３０１の「〔 〕」の中心を所望の測定物の最下部に一致させ、レリーズボタン１０２の半押しよって測定点Ａ２を指定する。ＣＰＵ２１３は、レリーズボタン１０２の半押しまたはレリーズボタン１０２の全押しが行われた時の測定スポット３０１が示すスポットを測定点として受け付け後述の測定を行う。測定点Ａ１の指定方法は第７の実施形態における指定方法と同様である。
【００７２】
また、図２５に示したフローチャートは、ＣＰＵ２１３が実行するプログラムの処理の流れを示しており、他の実施形態において説明した処理と同様の処理となるステップには同符号を付け、説明を省略する。ステップＳ５０１では、表示コントロール部２１６は、スルー画に重ねて「レリーズボタンの半押しで、最下点を指定してください」とＬＣＤ１０６に表示し、ステップＳ５０２に進む。ステップＳ５０２では、ＣＰＵ２１３によって、レリーズボタン半押しスイッチ２１９ａがＯＮであるか否かが判定され、レリーズボタン半押しスイッチ２１９ａがＯＮである場合には、ステップＳ１０５に進み、ＯＦＦである場合にはステップＳ１０１に移行する。ステップＳ５０３では、表示コントロール部２１６は、スルー画に重ねて「レリーズボタンの半押しまたは全押しで、最上点を指定してください」とＬＣＤ１０６に表示し、ステップＳ４０２に進む。ステップＳ５０４ではステップＳ２０７と同じ処理が施され、ステップＳ５０５ではステップＳ２０８と同じ処理が施され、ステップＳ５０６ではステップＳ２０９と同じ処理が施されるため説明を省略する。
【００７３】
なお、図２５に示した測定処理からステップＳ２０８、ステップＳ２０９、ステップＳ２１１、ステップＳ５０５およびステップＳ５０６の処理を省き、第４の実施形態で示したように、距離Ｌ１または距離Ｌ２のうちいずれか一方とアオリ角度θ１、アオリ角度θ２から高さＨ３を算出しても良い。すなわち、図２５に示す測定処理からさらにステップＳ２０３の処理が省かれるか、もしくは、ステップＳ１０６とステップＳ４０５の処理が省かれる。ステップＳ２０７、および、ステップＳ５０４における高さＨ３の算出においては、式（５）（６）のいずれかが用いられて算出される。
【００７４】
なお、図２５に示した測定処理からステップＳ２０８、ステップＳ２０９、ステップＳ２１１、ステップＳ５０５およびステップＳ５０６の処理を省き、第５の実施形態で示したように、アオリ角度θ１またはアオリ角度θ２のうちいずれか一方と距離Ｌ１、距離Ｌ２から高さＨ３を算出しても良い。すなわち、図２５に示す測定処理からさらにステップＳ２０３の処理が省かれるか、もしくは、ステップＳ１０６とステップＳ４０５の処理が省かれる。ステップＳ２０７、および、ステップＳ５０４における高さＨ３の算出は、式（５）（６）のいずれかが用いられて算出される。第８の実施形態では、レリーズの半押し操作によって、スルー画に重ねて高さに関する情報を表示することができ、レリーズの全押し操作によって、記録用画像の撮像とともに高さに関する情報を算出し、高さに関する情報を記録用画像に関連付けて保存できる。
以上が第８の実施形態の説明である。
【００７５】
・第９の実施形態
第９の実施形態について他の実施形態と主に異なる点について詳述する。第９の実施形態における電子カメラは、図１に示すブロック図の測定ボタン１０８と図２に示す測定ボタンスイッチ２１９ｃとを省いて構成される。図１９に示すように、ビルの頂上（測定点Ａ１）とビルの最下部（測定点Ａ２）との間の長さＨ３（以下、高さＨ３）を測定する場合を例にとって第９の実施形態における測定の原理を説明する。
使用者は、電子カメラ１００のアオリ操作によって、測定スポット３０１の「〔 〕」の中心を所望の測定物の最下部に一致させ、レリーズボタン１０２の半押しによって測定点Ａ３を指定する。ＣＰＵ２１３は、レリーズボタン１０２の半押しが行われた時の測定スポット３０１が示すスポットを測定点Ａ３として受け付け後述の測定を行う。測定点Ａ２の指定方法は測定点Ａ３の指定方法と同様である。測定点Ａ１の指定方法は第８の実施形態における指定方法と同様である。
【００７６】
また、図２５に示したフローチャートは、ＣＰＵ２１３が実行するプログラムの処理の流れを示しており、他の実施形態において説明した処理と同様の処理となるステップには同符号を付け、説明を省略する。ステップＳ６０１では、表示コントロール部２１６は、スルー画に重ねて「水平になる姿勢を維持して、レリーズボタンの半押しで測定物を指定してください」とＬＣＤ１０６に表示し、ステップＳ６０２に進む。ステップＳ６０２では、ＣＰＵ２１３によって、レリーズボタン半押しスイッチ２１９ａがＯＮであるか否かが判定され、レリーズボタン半押しスイッチ２１９ａがＯＮである場合には、ステップＳ１０５に進み、ＯＦＦである場合にはステップＳ１０１に移行する。ステップＳ６０３では、表示コントロール部２１６は、スルー画に重ねて「レリーズボタンの半押しで、最下点を指定してください」とＬＣＤ１０６に表示し、ステップＳ６０４に進む。ステップＳ６０４では、ＣＰＵ２１３によって、レリーズボタン半押しスイッチ２１９ａがＯＮであるか否かが判定され、レリーズボタン半押しスイッチ２１９ａがＯＮである場合には、ステップＳ１０５に進み、ＯＦＦである場合にはステップＳ６０３に移行する。ステップＳ６０５では、表示コントロール部２１６は、スルー画に重ねて「レリーズボタンの半押しで、最上点を指定してください」とＬＣＤ１０６に表示し、ステップＳ４０２に進む。ステップＳ６０６ではステップＳ３０５と同じ処理が施される。第９の実施形態では、レリーズの半押し操作によって、スルー画に重ねて高さに関する情報を表示することができ、レリーズの全押し操作によって、記録用画像の撮像とともに高さに関する情報を算出し、高さに関する情報を記録用画像に関連付けて保存できる。以上が第９の実施形態の説明である。
【００７７】
（補足）
距離測定部２２１は、被写体に向けて赤外線を照射し、戻ってくるまでの時間から距離を測定しているが、他の方法を用いて被写体までの距離を測定しても良い。例えば予め、合焦時の合焦レンズ２０１ａの光軸に沿った方向の位置と被写体距離との関係を示すテーブルをフラッシュＲＡＭ２１５に保管しておく。ＣＰＵ２１３は、画像のコントラストを検出し、ＡＦ制御回路２０７が合焦レンズ２０１ａの駆動を制御し、最もコントラストが高くなる合焦位置へ合焦レンズ２０１ａを駆動させる。そして、前述のテーブルに基づいて、合焦レンズ２０１ａの位置に対応した被写体距離を読み出すことで、電子カメラ１００と被写体との距離を測定しても良い。
【００７８】
また、本実施形態では、測定点の指定は測定ボタン１０８の押下、レリーズボタン１０２の半押し、もしくは、レリーズボタン１０２の全押しによって実行されるが、これに限定されず他のボタンを使用してもよいし、タッチパネルを使用して指定しても良い。
また、第１の実施形態では、測定対象点は電子カメラ１００よりも上の点として説明したが、電子カメラよりも下の点について高さＨ１を算出しても構わない。また、第２〜第６、第８および第９の実施形態においては、測定点を複数点指定しているが、指定する順番は本実施形態で示した順番に限定されない。
【００７９】
なお、以上の説明はあくまで一例であり、発明を解釈する際、上述の実施形態の記載事項と特許請求の範囲の記載事項の対応関係になんら限定も拘束もされない。
【産業上の利用可能性】
【００８０】
以上詳述したように本発明は、電子カメラの分野において大いに利用可能である。
【図面の簡単な説明】
【００８１】
【図１】電子カメラ１００の背面から見た場合の構成を示す斜視図である。
【図２】電子カメラ１００の内部構成を示す図である。
【図３】電子カメラ１００の基準姿勢を示す図である。
【図４】電子カメラ１００のアオリ角度を示す図である。
【図５】高さ測定の様子を示す図である。
【図６】測定点を指定する時のＬＣＤ１０６の表示画面を示す図である。
【図７】測定処理を示すフロー図である。
【図８】測定処理を示すフロー図である。
【図９】測定点を指定する時のＬＣＤ１０６の表示画面を示す図である。
【図１０】測定点を指定する時のＬＣＤ１０６の表示画面を示す図である。
【図１１】高さ測定の様子を示す図である。
【図１２】高さ測定の様子を示す図である。
【図１３】測定点を指定する時のＬＣＤ１０６の表示画面を示す図である。
【図１４】測定点を指定する時のＬＣＤ１０６の表示画面を示す図である。
【図１５】測定点を指定する時のＬＣＤ１０６の表示画面を示す図である。
【図１６】測定処理を示すフロー図である。
【図１７】測定点を指定する時のＬＣＤ１０６の表示画面を示す図である。
【図１８】高さ測定の様子を示す図である。
【図１９】高さ測定の様子を示す図である。
【図２０】測定点を指定する時のＬＣＤ１０６の表示画面を示す図である。
【図２１】測定点を指定する時のＬＣＤ１０６の表示画面を示す図である。
【図２２】測定点を指定する時のＬＣＤ１０６の表示画面を示す図である。
【図２３】測定処理を示すフロー図である。
【図２４】測定処理を示すフロー図である。
【図２５】測定処理を示すフロー図である。
【図２６】測定処理を示すフロー図である。
【符号の説明】
【００８２】
１００電子カメラ
１０１電源ボタン
１０２レリーズボタン
１０３撮影モード選択ボタン
１０４再生モード選択ボタン
１０５測定モード選択ボタン
１０６ＬＣＤ（Ｌｉｑｕｉｄ Ｃｒｙｓｔａｌ Ｄｉｓｐｌａｙ）
１０７操作部
１０８測定ボタン
１０９辺
２０１撮影レンズ群
２０１ａ合焦レンズ
２０２シャッタ
２０３絞り
２０４撮像素子
２０５撮像制御回路
２０６映像回路
２０７ＡＦ制御回路
２０８ＡＦ駆動部
２０９シャッタ制御回路
２１０シャッタ駆動部
２１１絞り制御回路
２１２絞り駆動部
２１３ＣＰＵ
２１４バッファメモリ
２１５フラッシュＲＡＭ
２１６表示コントロール部
２１７Ｉ／Ｏ部
２１８カード型メモリ
２１９操作検出部
２１９ａレリーズボタン半押しスイッチ
２１９ｂレリーズボタン全押しスイッチ
２２０傾斜測定部
２２１距離測定部
３０１測定スポット
３０２傾き情報
３０３矢印
【図１】
2010124262.tif 000005
【図２】
2010124262.tif 000006
【図３】
2010124262.tif 000007
【図４】
2010124262.tif 000008
【図５】
2010124262.tif 000009
【図６】
2010124262.tif 000010
【図７】
2010124262.tif 000011
【図８】
2010124262.tif 000012
【図９】
2010124262.tif 000013
【図１０】
2010124262.tif 000014
【図１１】
2010124262.tif 000015
【図１２】
2010124262.tif 000016
【図１３】
2010124262.tif 000017
【図１４】
2010124262.tif 000018
【図１５】
2010124262.tif 000019
【図１６】
2010124262.tif 000020
【図１７】
2010124262.tif 000021
【図１８】
2010124262.tif 000022
【図１９】
2010124262.tif 000023
【図２０】
2010124262.tif 000024
【図２１】
2010124262.tif 000025
【図２２】
2010124262.tif 000026
【図２３】
2010124262.tif 000027
【図２４】
2010124262.tif 000028
【図２５】
2010124262.tif 000029
【図２６】
2010124262.tif 000030